(57)【特許請求の範囲】
【請求項１】
ヘッド（１０６）と該ヘッドに連結された複数の可撓性の固定翼（１１６、１１８）であって最大直径の腰部領域（１２６）を画成する前記可撓性の固定翼とを有するファスナー（１０２）と、
前記可撓性の固定翼（１１６、１１８）に沿ってスライド可能なガイドリング（１０４；２０４；３０４）と、を具備するプッシュインファスナー組立体（１００）において、
前記ガイドリング（１０４；２０４；３０４）が、前記最大直径の腰部領域（１２６）より小さな直径の開口部（１３２；２３２；３３２）を有し、
前記可撓性の固定翼（１１６、１１８）はガイドスロット（１２２、１２４）を画成し、前記ガイドリング（１０４；２０４；３０４）は、前記ガイドスロット内に受容され且つ前記ガイドスロットに沿ってスライド可能な追従アーム（１３４、１３６；２３４、２３６；３３４、３３６）を画成し、
前記ファスナー（１０２）及び前記ガイドリング（１０４；２０４；３０４）のうち少なくとも一方が、前記ガイドリング（１０４；２０４；３０４）が前記最大直径の腰部領域（１２６）に亘ってスライドしたときに生じる前記ガイドリングの歪曲に適応させるためのクリアランスを設ける構造的形状改良部を有することを特徴とするプッシュインファスナー組立体（１００）。
【請求項２】
前記構造的形状改良部が、前記最大直径の腰部領域（１２６）を通る、前記ガイドスロット（１２２、１２４）に隣接したクリアランスポケット（１４０、１４２）を含む請求項１に記載のファスナー組立体。
【請求項３】
前記構造的形状改良部が、前記追従アーム（２３４、２３６）に隣接した、前記ガイドリング（２０４）における切欠部（２４４、２４６）を含む請求項１又は請求項２のいずれか１つに記載のファスナー組立体。
【請求項４】
前記ファスナー（１０２）がポケット（１５６、１５８）を画成する中柱（１５０）を有し、前記追従アーム（１３４、１３６）が前記ファスナー（１０２）及び前記ガイドリング（１０４）の予備挿入組立において前記ポケットに配置された請求項１から請求項３のいずれか１つに記載のファスナー組立体。
【請求項５】
前記ポケット（１５６、１５８）から前記中柱（１５０）への先細の移動面（１６４、１６６）を有する請求項４に記載のファスナー組立体。
【請求項６】
前記ガイドリング（３０４）が、前記固定翼（１１６、１１８）に亘ってスライド可能な接面を画成する楕円開口部（３３２）を有する請求項１から請求項５のいずれか１つに記載のファスナー組立体。
【請求項７】
前記固定翼（１１６、１１８）は第一のガイドスロット（１２２）及び第二のガイドスロット（１２４）を画成し、且つ、前記ガイドリング（３０４）は前記第一のガイドスロット（１２２）及び前記第二ガイドスロット（１２４）内に受容され且つ前記第一のガイドスロット（１２２）及び前記第二のガイドスロット（１２４）に沿ってスライド可能な第一の追従アーム（３３４）及び第二の追従アーム（３３６）を画成し、前記第一の追従アーム及び前記第二の追従アームは前記楕円開口部（３３２）の長軸上に設けられている請求項６に記載のファスナー組立体。
【請求項８】
前記ヘッド（１０６）と前記最大直径の腰部領域（１２６）との間の狭められた直径の胴部領域（１２８）を更に具備し、
前記可撓性の固定翼（１１６、１１８）が、第一のガイドスロット（１２２）及び第二のガイドスロット（１２４）を画成し、前記ガイドリング（１０４；２０４；３０４）が、前記第一のガイドスロット及び前記第二のガイドスロット内に受容され且つ前記第一のガイドスロット及び前記第二のガイドスロットに沿ってスライド可能な第一の追従アーム（１３４；２３４；３３４）及び第二の追従アーム（１３６；２３６；３３６）を画成し、
前記ファスナー（１０２）及び前記ガイドリング（１０４；２０４；３０４）のうち少なくとも一方が、前記ガイドリングが前記最大直径の腰部領域（１２６）に亘ってスライドしたときに生じる、前記ガイドリングの歪曲に適応させるためのクリアランスを設ける構造的形状改良部を有し、前記構造的形状改良部が、前記追従アーム（１３４、１３６；２３４、２３６；３３４、３３６）の領域において前記開口部（１３２；２３２；３３２）の狭められた部分にクリアランスを提供する請求項１に記載のファスナー組立体。
【請求項９】
前記構造的形状改良部が、前記最大直径の腰部領域（１２６）を通る、前記ガイドスロット（１２２、１２４）のうちの１つと隣接したクリアランスポケット（１４０、１４２）を有し、又は、
前記構造的形状改良部が、前記最大直径の腰部領域（１２６）を通る、前記ガイドスロット（１２２、１２４）のそれぞれに隣接したクリアランスポケット（１４０、１４２）を有する請求項８に記載のファスナー組立体。
【請求項１０】
前記構造的形状改良部が、前記追従アーム（２３４、２３６）のうちの１つと隣接する前記ガイドリング（２０４）における切欠部（２４４、２４６）を有し、又は、
前記構造的形状改良部が前記追従アーム（２３４、２３６）にそれぞれ隣接した、前記ガイドリング（２０４）における切欠部（２４４、２４６）を有する請求項８又は請求項９のいずれか１つに記載のファスナー組立体。
【請求項１１】
前記ファスナーが第一のポケット（１５６）及び第二のポケット（１５８）を画成する中柱（１５０）を有し、前記追従アーム（１３４、１３６；２３４、２３６；３３４、３３６）のうちの１つが、前記ファスナー（１０２）及び前記ガイドリング（１０４；２０４；３０４）の予備挿入組立において前記ポケットのそれぞれに配置され、
当該ファスナー組立体が、前記ポケット（１５６、１５８）の各々から前記中柱（１５０）への先細の移動面（１６４、１６６）を有する請求項８から請求項１０のいずれか１つに記載のファスナー組立体。
【請求項１２】
前記ヘッド（１０６）の下に第一の防振止め（１６８）及び第二の防振止め（１７０）を有し、前記防振止めは前記ファスナー（１０２）が十分奥まで挿入されたときに前記追従アーム（１３４、１３６；２３４、２３６；３３４、３３６）と係合するように位置する請求項１１に記載のファスナー組立体。
【請求項１３】
前記ファスナー（１０２）が、面取りされた外縁面（１８０、１８２、１８４、１８６）を備えたＨ型の断面構造を有する中柱（１５０）を有する請求項１から請求項１２のいずれか１つに記載のファスナー組立体。
【請求項１４】
前記ガイドリング（３０４）が、前記固定翼（１１６、１１８）に亘ってスライド可能な接面を画成する楕円開口部（３３２）を有する請求項８から請求項１３のいずれか１つに記載のファスナー組立体。
【請求項１５】
前記第一の追従アーム（３３４）及び第二の追従アーム（３３６）が、前記楕円開口部（３３２）の長軸上に設けられた請求項１４に記載のファスナー組立体。
【発明の詳細な説明】
【技術分野】
【０００１】
本願は、２００９年１１月２日に出願された米国仮出願番号６１／２５７，９１３号の利益を主張するものである。
【０００２】
本発明は、概してファスナーに関するものであり、さらに具体的には、ファスナーを、開口部を通して少なくとも１つの構成部品に挿入することによって、例えばパネルをパネルに取り付けるため並びに他の部品及び物をパネルに取り付けるため等のように、ある部品を他の部品に取り付けるために用いられるプッシュインファスナーであって、ファスナーが、挿入中に構成部品を通して内側に曲がり且つ構成部品を通して十分奥まで挿入されると外側に広がり又は反発的に回復する弾性的保持部材を有する、プッシュインファスナーに関する。
【背景技術】
【０００３】
様々なタイプのプッシュインファスナーが、様々な環境における用途及び様々な目的で公知である。プッシュインファスナーの共通する特徴は、ファスナーが穴又は開口部を通して挿入されるときに内側に曲げられ、且つ、ファスナーが十分奥まで挿入されたときにファスナーを保持するために外側に反発的に回復する、弾性的に曲げることができ又は撓ませることができる保持部材にある。保持部材の内側への曲げは、ファスナーが構成部品を通して挿入されるときに、構成部品の開口部表面に対する保持部材のスライド式係合によって生じ得る。
【０００４】
特許文献１は、圧縮部材を備えるファスナー組立体を開示している。ファスナー組立体は、軸棒（shank）の一方の端部にヘッドを備える軸棒を有するファスナーを有し、軸棒は、ヘッドと一体成形され且つヘッドの反対側のファスナーの遠位端で互いに連結した複数の弾性脚部を具備する。脚部は、ファスナーが挿入される、一つ又は複数の、パネル又は構成部品の、開口部寸法より大きな最大直径を画成するため外側に弓のように曲がっている。従って、脚部は、挿入中、開口部を通過するために内側に撓み、最大直径部が開口部を通過すると、外側に反発的に回復する。ファスナー組立体は更に、ファスナーが挿入されるパネル又は構成部品の開口部の直径より僅かに小さな径の中心先細り開口部を備えた圧縮性のリングを有する。リングは、ファスナー組立体の部品として使用される場合においてファスナーが挿入されるときに、パネル又は構成部品によって支持される。リングは、当該リング及びパネル若しくは構成部品の両方を通過するために脚部を圧縮させるような脚部に対する接触部を提供する。リングの開口部の僅かに小さな直径は、ファスナーの材料を磨耗させ得るパネル又は構成部品の開口部端部に対する滑り接触から離すように脚部を保持する。それ故、リングは、パネル又は構成部品の開口部がファスナーの材料に対して荒い場合(harsh)又は磨耗させ得る状態の場合(abrasive)に生じうる抗力又は摩耗を低減するのに有用である。リング及びファスナーは、互いに対して容易にスライドすることができるように、意図的に選択した材料で作ることができ、且つ、形作ることができ、それによって、ファスナーが使用されるパネル又は構成部品の開口部に対して脚部が直接スライドする場合に必要な力と比較した場合に、必要な挿入力が低減される。しかしながら、リングの脚部の形状及び位置によっては、リングに対して接触するある領域では、他の接触領域又は脚部がリングに接触しない領域よりも大きな抗力が生じる。よって、リングの形状は、挿入中に歪曲され、挿入の困難性を生じる。
【先行技術文献】
【特許文献】
【０００５】
【特許文献１】米国特許第５３０１３９６号明細書
【発明の概要】
【発明が解決しようとする課題】
【０００６】
前述したファスナー組立体は、ファスナーを取り外す際に必要な比較的高い引張力を有することにより高い保持力を提供するファスナーと共に、挿入力を低減するために効果的に使われてきた。しかしながら、ある状況において必要とされる挿入力をさらに低減すること、及び／又は、リングが不注意でファスナーから外れてしまわないように作業中に固定するためのファスナーにおけるリングの予備挿入構造を備えることが望ましい。
【課題を解決するための手段】
【０００７】
本発明にかかるプッシュインファスナー組立体は、車両板金に対する自動車のトリムのように、パネル又は構成部品の一方を他方へ取り付けるために、人間工学的に容易に操作できる装置である。ガイドリングは挿入時のファスナー及びパネル間の接触を低減する。挿入時にリングの楕円形歪みにより生じる抗力は、ガイドリングの形状変化に適応させるためにクリアランスを提供するようなリング中心開口部の変化及びファスナー固定翼に対する改良によって低減される。
【０００８】
一つの構造の態様において、プッシュインファスナー組立体は、ヘッドと、ヘッドに連結され最大直径の腰部領域を画成する可撓性の固定翼とを有する。可撓性の固定翼に沿ってスライド可能なガイドリングは、最大直径の腰部領域より小さな直径の開口部を有する。可撓性の固定翼はガイドスロットを画成し、且つ、ガイドリングはガイドスロット内に受容され且つガイドスロットに沿ってスライド可能な追従アームを画成する。ファスナー及びガイドリングの少なくとも一方は、ガイドリングが最大直径の腰部領域に亘ってスライドするときに生じるガイドリングの歪曲に適応するためのクリアランスを提供する構造的形状改良部を有する。
【０００９】
別の構造の態様において、プッシュインファスナー組立体は、ヘッドとヘッドに接続された可撓性の固定翼とを備えたファスナーを有し、可撓性の固定翼は、最大直径の腰部領域と、ヘッド及び最大直径の腰部領域間にあり直径が狭められた胴部領域とを画成する。ガイドリングは、可撓性の固定翼に沿ってスライドすることができ、且つ、最大直径の腰部領域より小さな直径の開口部を有する。可撓性の固定翼は、第一のガイドスロット及び第二のガイドスロットを画成し、且つ、ガイドリングは、第一のガイドスロット及び第二のガイドスロット内に受容され且つ第一のガイドスロット及び第二のガイドスロットに沿ってスライド可能な第一の追従アーム及び第二の追従アームを画成する。ファスナー及びガイドリングの少なくとも一方は、ガイドリングが最大直径の腰部領域に亘ってスライドするときに生じるガイドリングの歪曲部に適応するためのクリアランスを提供する構造的形状改良部であって、追従アームの領域内で開口部が狭められるためのクリアランスを提供する構造的形状改良部を有する。
【００１０】
さらなる構造の態様において、プッシュインファスナーは、ヘッド及びヘッドに連結された可撓性の固定翼を有するファスナーを有し、可撓性の固定翼は、最大直径の腰部領域とヘッド及び最大直径の腰部領域間で狭められた直径の胴部領域とを画成する。可撓性の固定翼に沿ってスライド可能なガイドリングは最大直径の腰部領域より小さな直径の開口部を有する。可撓性の固定翼は、第一のガイドスロット及び第二のガイドスロットを画成し、且つ、ガイドリングは、第一のガイドスロット及び第二のガイドスロット内に受容され且つ第一のガイドスロット及び第二のガイドスロットに沿ってスライド可能な第一の追従アーム及び第二の追従アームを画成する。少なくとも１つの固定翼は、最大直径の腰部領域を通して延在するガイドスロットの１つに隣接するクリアランスポケットを有する。
【００１１】
本発明の他の特徴及び利点は、以下の詳細な説明、特許請求の範囲、及び、特徴等を指定するために数字等が使用された図面の説明によって当業者に明らかとなるであろう。
【図面の簡単な説明】
【００１２】
【図１】プッシュインファスナー組立体の斜視図である。
【図２】図１に示した組立体を底部から見た、プッシュインファスナー組立体の平面図である。
【図３】図１に示したプッシュインファスナー組立体の正面図である。
【図４】プッシュインファスナー組立体の線４−４に沿った垂直断面図である。
【図５】プッシュインファスナー組立体のガイドリングが取り得る位置を示した部分断面図である。
【図６】プッシュインファスナー組立体のさらなる正面図である。
【図７】プッシュインファスナー組立体の水平方向断面図である。
【図８】プッシュインファスナー組立体のガイドリングのさらなる実施形態の平面図である。
【図９】プッシュインファスナー組立体のガイドリングのさらにもう一つの実施形態の平面図である。
【発明を実施するための形態】
【００１３】
本発明の実施形態の詳細を説明する前に、当然のことながら、本発明は、その適用を以下の記載で説明し又は図示する構成部品の構成や配置の細部に制限されない。本発明は、他の実施形態に適用することができ、且つ、様々な方法で試験又は実施することができる。さらに、当然のことながらここで用いる表現方法及び専門用語は説明のためのものであり、限定するものとみなすべきではない。ここでの「有する」及び「具備する」、それらのバリエーションの使用は、列記された事項及びそれと同等の事項、並びに、付加的事項及びそれと同様の内容を包含することを意味する。
【００１４】
ここで、図についてより具体的に説明すると、図1は、ファスナー１０２及びガイドリング１０４を有するファスナー組立体１００を示す。ファスナー組立体１００は、ここに記載されたコンセプト及び原理の範囲内で異なる形状及び構成とすることができる。ファスナー１０２及びガイドリング１０４の両方を有するファスナー組立体１００は、様々なタイプのプラスチックを含む、様々な異なる材質で作ることができる。ファスナー１０２及びガイドリング１０４は、同じ材質又は異なる材質で作ることができる。
【００１５】
ファスナー１０２は、キャップ１０８及びネック１１０を備えたヘッド１０６を有し、１つ又はそれ以上のフランジ１１２、１１４をさらに有してもよく、図１に示す例示的実施形態においては、２つのフランジ１１２、１１４を有している。ファスナー１０２はさらに、ヘッド１０６から突出し弾性的に可撓性の、複数の固定翼１１６、１１８を有する。当然のことながら、ファスナー１０２は、２つ以上の固定翼１１６、１１８を有してもよい。固定翼１１６、１１８は、ヘッド１０６から離間した遠位端又は遠位先端１２０で互いに連結している。固定翼１１６、１１８は、ファスナーが取り付けられるパネル又は構成部品の穴又は開口部を通してファスナー１０２が挿入されるとき、内側に曲げられ又は撓まされる。ファスナー１０２が十分に奥まで挿入されると、固定翼１１６、１１８は、ヘッド１０６の反対側にあるパネル又は構成部品を重ねるために外側に反発的に回復する。それにより、ファスナー１０２はパネル又は構成部品に固定され、且つ、ヘッド１０６はさらに他の物につなげることができる。当然のことながら、ヘッド１０６の他の物への接続は、ファスナー１０２がパネル又は構成部品の穴又は開口部を通して挿入され、それに対して固定翼１１６、１１８の撓み及び外側への押し返しによって接続される前又は後において可能である。
【００１６】
固定翼１１６、１１８は、少なくとも1つのガイドスロット１２２を画成し、図示された実施形態において、固定翼１１６、１１８は、遠位端又は遠位先端１２０からフランジ１１４へと延在する２つのガイドスロット１２２、１２４を画成する。固定翼１１６、１１８は、固定翼１１６、１１８が遠位端又は遠位先端１２０に向かって内側へ先細となる腰部領域１２６において、最大直径を集約的に画成する。腰部領域１２６及びフランジ１１４間の胴部領域１２８で、固定翼１１６、１１８は狭められる。
【００１７】
ガイドリング１０４は、開口部１３２と円環体１３０から内部に突出しガイドスロット１２２に受容される少なくとも一つの追従アーム１３４とを画成する円環体１３０である。例示的実施形態に示すように、ガイドリング１０４は、円環体１３０の内接面１３８から内側に突出し直径方向に対向する２つの追従アーム１３４、１３６を画成する。追従アーム１３４、１３６はそれぞれガイドスロット１２２、１２４内に受容される。
【００１８】
ファスナー組立体１００の挿入の際、ガイドリング１０４は、ファスナー組立体が構成部品の穴に挿入されるにつれ固定翼１１６、１１８に沿ってスライドし、それによって、ガイドリング１０４の内接面１３８は、ガイドリング１０４が腰部領域１２６を越えて胴部領域１２８に到達するまで固定翼１１６、１１８に接触し、固定翼１１６、１１８を内側へ撓ませる。挿入中、追従アーム１３４、１３６は、固定翼１１６、１１８に対するガイドリング１０４の回転を制限するため、ガイドスロット１２２、１２４に沿ってスライドする。ガイドリング１０４が、腰部領域１２６を含み固定翼１１６、１１８で画成される最大幅領域を通過したとき、円環体１３０のほぼ円形の形状が、追従アーム１３４、１３６の全体領域の内側に円環体１３０が引きこまれながら歪曲する。
【００１９】
ファスナー組立体１００は、ガイドリング１０４の歪曲に適応するため、且つ、ファスナー１０２とガイドリング１０４との間のスライドの干渉を低減させるために構造的改良部を有する。第一の歪曲に適応する構造的改良部は、最大直径となる腰部領域１２６へ導き且つ腰部領域１２６から離間した限られた領域においてガイドスロット１２２、１２４に隣接する１つ又は両方の固定翼１１６、１１８に設けられた、面取り、間隙、又は、リングクリアランスポケット１４０、１４２を有する。面取り、間隙、又は、リングクリアランスポケット１４０、１４２は、径方向に隣接した領域に対し縮径された切欠部である。よって、増大したクリアランスは、ファスナー組立体１００が挿入されてガイドリング１０４が固定翼１１６、１１８に沿ってスライドし且つ腰部領域１２６を超える間に、開口部１３２が歪曲し且つ追従アーム１３４、１３６において円環体１３０が内側に引っ張られたときでさえ、面取り、間隙、又は、リングクリアランスポケット１４０、１４２の領域において、固定翼１１６、１１８に対するガイドリング１０４の抗力を低減させる。
【００２０】
さらにファスナー２０２を図３で示す。ファスナー２０２は、ファスナー２０２が単一のフランジ１１４を有するという点を除き、ファスナー１０２と類似する。それ故、前述したファスナー１０２の構造と類似するファスナー２０２の構造は、先に使用した参照番号と同じ参照番号として扱った。図４及び５において最も明確に示されているように、ガイドリング１０４を予備的組立としてファスナー１０２に固定するために、中柱１５０は、底部材１６０、１６２を備えたポケット１５６、１５８を画成するキャッチ又はラッチ１５２、１５４を有している。追従アーム１３４、１３６は、予備的組立の間にポケット１５６、１５８に配置され、作業中はポケット１５６、１５８で保持され且つ底部材１６０、１６２によって支持される。追従アーム１３４、１３６の反対側に配置されたラッチ１５２、１５４及び底部材１６０、１６２は、ガイドリング１０４がファスナー１０２から不注意で容易に外れないようにするため、作業中に、ガイドリング１０４の傾斜及び追従アーム１３４、１３６の曲げの両方を防ぐ。ファスナー組立体１００の構成部品に設けた穴への最初の挿入中、ヘッド１０６がガイドリング１０４に対して押し込まれ、ラッチ１５２、１５４が追従アーム１３４、１３６に対して押し込まれるため、追従アーム１３４、１３６が下方に撓む。それによって、追従アーム１３４、１３６はポケット１５６、１５８から解放される。キャッチ又はラッチ１５２、１５４は、ポケット１５６、１５８から中柱１５０に内側に向けて滑らかな輸送表面１６４、１６６を有している。それ故、追従アーム１３４、１３６は、追従アーム１３４、１３６が急に反発することなく且つ最後まで十分に挿入したときの最後のスナップ音と誤って解釈され得る大きな音を生じることなく、ラッチ１５２、１５４を通ってスライドし、且つ、輸送表面１６４、１６６に沿って、中柱１５０に沿った撓みなしポジションに到達するまでスムーズに移動するために、下方に曲げられる。ファスナー組立体の設置作業者は、ファスナーが十分奥まで設置されたと誤って解釈される可聴音によってミスを誘発されない。
【００２１】
防振止め１６８、１７０は、ヘッド１０６の下に中柱１５０から外側に突出しており、ファスナー２０２が十分奥までに設置されて且つガイドリング１０４が胴部領域１２８に到達したとき、ガイドリング１０４の追従アーム１３４、１３６と接触し且つ係合する。防振止め１６８、１７０は、ファスナー２０２がいくらかのパネル厚のものに設置されたとき、防振止めがなければ生じうるガイドリング１０４の緩みによってもたらされる振動及び望ましくないノイズを防ぐ。
【００２２】
ガイドリング１０４の歪曲に適応するためのさらなる構造的改良部として、ガイドリング１０４が固定翼１１６、１１８に対する抗力によって歪曲したときに改良されなければ生じ得る増大した抗力を、さらに克服するため、固定翼１１６、１１８及び中柱１５０はＨ型のような構造で構成されている。脚部１７２、１７４は対角線上で固定翼１１６、１１８にそれぞれつながっている。他の２つの対角線上で対向した脚部１７６、１７８は、固定翼１１６、１１８とは直接的につながっていない。脚部１７２、１７４、１７６、１７８の外縁面１８０、１８２、１８４、１８６は、ファスナーの軸方向の長さであって、少なくともガイドリング１０４が、輸送表面１６４、１６６に沿った拡張面によってカップ状を維持している間の長さに沿って増大したクリアランスを設けるために、傾斜が設けられ又は面取りされている。図５は、開口部１３２の第一の直径１９０を有し、歪曲されていないガイドリング１０４、及び、ガイドリング１０４を有する開口部１３２の狭められた第二の直径１９２を示し、第二のポジションは１０４ａに図示する。接触する端部の面取り又は傾斜は、ガイドリング１０４がカップ状となっている間の狭められた直径に適応する。
【００２３】
パネル又は他の構造物の穴に対する芯出しのため、ファスナーが十分奥まで挿入された位置でパネル又は他の構造物と係合する領域において妥協しない（uncompromised）最大のファスナー１０２の直径を維持することが望ましい。しかしながら、他の領域におけるファスナーの構造的改良部は、ガイドリング１０４が固定翼１１６、１１８による楕円形歪曲又は輸送表面１６４、１６６によるカップ状凹みによって歪曲された状態の間にガイドリング１０４によって接触されているそれらの領域において、干渉を低減させることができる。
【００２４】
固定翼１１６、１１８の構造的改良部に加えて又はその構造的改良部に代えて、ファスナー組立体のガイドリングに構造的収容部を設けることもできる。例えば、ノッチ又は切欠部をガイドリングに用いることができる。図８は、開口部２３２と、接面２３８から内部に突出した第一の追従アーム２３４及び第二の追従アーム２３６を画成する円環体２３０とを有するガイドリング２０４のさらなる実施形態を示す。切欠部２４４、２４６は、ファスナー組立体が共に連結された構成部品の内部に挿入され且つガイドリング２０４が歪曲するときにそれらの領域において切欠部がなければ生じ得る増加抗力を減少させるため、追従アーム２３４、２３６に隣接したガイドリング２０４に設けられている。
【００２５】
図９はさらに、円状よりむしろ楕円開口部３３２を画成するボディ３３０を有するガイドリング３０４の、さらなる改良を示す。追従アーム３３４、３３６は、接面３３８から内側に突出している。追従アーム３３４、３３６は楕円開口部３３２の長軸上に設けられている。ファスナーの挿入中、リングが歪曲されている場合でさえ抗力を低減させることができる。
【００２６】
前述のバリエーション及び改良は本発明の範囲に属する。当然のことながら、ここで開示され且つ定義された本発明は、文章及び／又は図によって言及され又は明らかな個々の特徴の二又はそれ以上の選択可能な組合せ全てに拡張する。これら全ての異なる組合せは本発明の様々な選択的態様を構成する。ここで図示された実施形態は本発明を実施する上で知られる最良の形態を示し、且つ、当業者が本発明を利用することを可能とする。請求項の範囲は、先行技術の許す範囲において、選択的実施形態を含むものと解釈されるものとする。
【００２７】
本発明の様々な特徴を以下の請求項の範囲で説明する。
【図１】
0005628932.tif 000002
【図２】
0005628932.tif 000003
【図３】
0005628932.tif 000004
【図４】
0005628932.tif 000005
【図５】
0005628932.tif 000006
【図６】
0005628932.tif 000007
【図７】
0005628932.tif 000008
【図８】
0005628932.tif 000009
【図９】
0005628932.tif 000010